(57)【要約】【課題】  喪中であっても、年賀ハガキに代えて出すことにより、遺族に対して慰めの意や励まし意を伝えることができるようにする。くじ番号表示部を設けることにより、年賀ハガキと同様の機能を持たせる。【解決手段】  ハガキとして機能させる宛名等の所要の表示欄２を有するとともに、投函した年の年末（１２月３１日）又は投函した次の年の年始（１月１日）に配達することを意味付け、かつ喪中を示す特定の識別表示部５を設ける。表示欄２には、くじ番号を表示したくじ番号表示部１０を設けることができる。【選択図】  図１
0003104987.tif 000002
【実用新案登録請求の範囲】
【請求項１】
ハガキとして機能させる宛名等の所要の表示欄を有するとともに、投函した年の年末又は投函した次の年の年始に配達することを意味付け、かつ喪中を示す特定の識別表示部を設けたことを特徴とする特定ハガキ。
【請求項２】
前記表示欄には、くじ番号を表示したくじ番号表示部を有することを特徴とする請求項１記載の特定ハガキ。
【考案の詳細な説明】
【技術分野】
【０００１】
本考案は、喪中であっても年賀ハガキに代えて遺族に出すことができる特定ハガキに関する。
【背景技術】
【０００２】
従来、通常のハガキに対して異なる扱いがされるようにした特定ハガキとしては、元旦に配達される年賀ハガキが代表的なものであるが、配達希望日を記入し、指定する未来の特定日に配達されるようにした特定のハガキ（カード）も、実開平２−１０４２７８号公報で開示されている。
【０００３】
ところで、年賀ハガキは、新年の挨拶状としての意味をもつものであるが、喪中の場合には、年賀ハガキを出したり受取ることを止める慣習があるため、通常、年末に近付いた頃に、喪中ハガキを出すのが一般的である。
【特許文献１】実開平２−１０４２７８号
【考案の開示】
【考案が解決しようとする課題】
【０００４】
しかし、喪中の場合、年賀ハガキを出したり受取ることを止めるよりも、むしろ、ハガキを出すことにより、遺族に対して慰めの意や励ましの意を伝えたい場合も少なくないが、従来は、年末の喪中ハガキ或いは年始の年賀ハガキに限られていたため、このような遺族に対する慰めの意や励まし意を伝えることができない不具合があった。
【０００５】
本考案は、このような背景技術に存在する課題を解決した特定ハガキの提供を目的とするものである。
【課題を解決するための手段】
【０００６】
本考案に係る特定ハガキ１は、上述した課題を解決するため、ハガキとして機能させる宛名等の所要の表示欄２を有するとともに、投函した年の年末又は投函した次の年の年始に配達することを意味付け、かつ喪中を示す特定の識別表示部５を設けたことを特徴とする。この場合、考案の好適な態様により、表示欄２には、くじ番号を表示したくじ番号表示部１０を設けることができる。
【考案の効果】
【０００７】
このような構成を有する本考案に係る特定ハガキ１によれば、次のような顕著な効果を奏する。
【０００８】
（１）  喪中であっても、年賀ハガキに代えて特定ハガキ１を出すことにより、遺族に対して慰めめ意や励ましの意を伝えることができる。なお、年賀ハガキは、挨拶状としての意味をもつため、インターネットを用いた電子メール等を利用する傾向も高まっているが、喪中の場合、電子メール等による簡便な方法は好ましくなく、むしろ紙媒体が適している。
【０００９】
（２）  好適な態様により、表示欄２に、くじ番号を表示したくじ番号表示部１０を設ければ、年賀ハガキと同様の機能を持たせることができる。
【考案を実施するための最良の形態】
【００１０】
次に、本考案に係る最良の実施形態を挙げ、図面に基づき詳細に説明する。
【００１１】
まず、本実施形態に係る特定ハガキ１の構成（表示構成）について、図１及び図２を参照して説明する。
【００１２】
図１は、本実施形態に係る特定ハガキ１の表面（おもて面）１ｆを示す。例示の特定ハガキ１は、一枚の郵便ハガキである。この特定ハガキ１の表面１ｆは、ハガキとして機能させる宛名等の所要の表示欄２を有する。そして、表示欄２には、図１に示すように、表面１ｆの上端付近に表示した「郵便はがき」の文字部１１、その下方の右側に矩形枠により表示した郵便番号表示部１２、この郵便番号表示部１２の左方に表示した郵便切手貼付部１３、この郵便切手貼付部１３の下方に表示した「心づくし」の文字部１４及びこの文字部１４と対になる例えば喪中に適した菊花等を象ったイラスト部１５、表面１ｆの下端付近に表示したくじ番号表示部１０、このくじ番号表示部１０の上方に表示した差出人の郵便番号表示部１６を設ける。
【００１３】
この場合、上側の郵便番号表示部１２には、届け先の郵便番号を記載するとともに、下側の郵便番号表示部１６には、差出人の郵便番号を記載することができる。また、郵便切手貼付部１３は、切手を貼る位置を示す図１のような点線枠による表示であってもよいし、年賀ハガキのように、切手自体を印刷する形式であってもよい。なお、切手は、寄付金付の切手であっても勿論よい。
【００１４】
一方、「心づくし」の文字部１４及びこの文字部１４と対になるイラスト部１５は、喪中を示す特定の識別表示部５として機能する。年賀ハガキの場合には、「年賀」の文字とイラストが表示されるが、識別表示部５は、これと同じ機能を有する。また、「心づくし」の名称は例示であり、この名称に限定されるものではない。なお、イラスト部１５には、配達する年の年号を表示することができる。特定ハガキ１に、このような識別表示部５が表示されることにより、投函した年の年末又は投函した次の年の年始に配達することが意味付けられる。この場合、通常、年末は１２月３１日（大晦日）、年始は１月１日（元旦）となる。
【００１５】
さらに、くじ番号表示部１０には、抽選により商品等が当たるくじ番号が表示される。これにより、年賀ハガキと同様の機能を持たせることができる。そして、表面１ｆの空白には、届け先の住所や名前、差出人の住所や名前を記載することができる。
【００１６】
他方、図２は、本実施形態に係る特定ハガキ１の裏面１ｒを示す。裏面１ｒは、基本的に全面が空白である。なお、この裏面１ｒには、寄付金付きの年賀ハガキや図２に例示するように、所要のデザイン印刷が施されていてもよい。図２は、文面及びデザインの一例を示している。この場合、文面は自由であるが、特に、年賀の場合とは異なり、遺族に対して慰めの意や励ましの意を伝える文面とすることができる。
【００１７】
次に、本実施形態に係る特定ハガキ１の機能（配達方法）について、図３を参照して説明する。
【００１８】
この特定ハガキ１は、年末が近づいた時期において、年賀ハガキを出そうとする相手先が喪中の場合に用いることができる。したがって、年賀ハガキの場合と同様に、予め投函期間を設定する。具体的には、投函する年の「１２月１日〜１２月１５日」のように設定することができる。なお、特定ハガキ１の投函期間は、年賀ハガキの投函期間と重複しないように区別して設定してもよいし、一部の期間を重複させたり或いは同一となるように設定してもよい。
【００１９】
そして、特定ハガキ１を集配したなら、年賀ハガキの場合と同様に配達期日までストックし、配達期日になったなら一斉に配達を行う。この場合、配達期日は、投函した年の年末、即ち、１２月３１日（大晦日）が望ましい。しかし、その性質上、投函した次の年の年始、即ち、１月１日（元旦）に、年賀ハガキと一緒に配達してもよい。このように、喪中を示す特定の識別表示部５が表示されることにより、投函した年の年末（又は年始）に配達することが意味付けられるため、年賀ハガキと同様に配達することが可能になる。
【００２０】
以上、最良の実施形態について詳細に説明したが、本考案は、このような実施形態に限定されるものではなく、細部の構成，形状，素材等において、本考案の要旨を逸脱しない範囲で、任意に変更，追加，削除することができる。
【００２１】
例えば、特定ハガキ１として、一枚の郵便ハガキを例示したが、二つ折りした既存の往復ハガキに類似した形式、クリスマスカードのような自由な形状のカードタイプの形式、カードを封筒に入れた封書タイプの形式等の各種形態をはじめ、宅配便等の郵便以外の配達経路で配達されるカード等、基本的には、ハガキとして機能させる宛名等の所要の表示欄２を有するとともに、投函した年の年末又は投函した次の年の年始に配達することを意味付け、かつ喪中を示す特定の識別表示部５を設けたものであれば、本願考案の特定ハガキ１に包含される。また、くじ番号表示部１０は必ずしも設けることを要しない。
【図面の簡単な説明】
【００２２】
【図１】本考案の最良の実施形態に係る特定ハガキの表面形態図、
【図２】同特定ハガキの裏面形態図、
【図３】同特定ハガキの機能（配達方法）説明図、
【符号の説明】
【００２３】
１    特定ハガキ
２    表示欄
５    識別表示部
１０  くじ番号表示部
【図１】
0003104987.tif 000003
【図２】
0003104987.tif 000004
【図３】
0003104987.tif 000005
【手続補正書】
【提出日】平成16年3月12日(2004.3.12)
【手続補正１】
【補正対象書類名】実用新案登録請求の範囲
【補正対象項目名】請求項１
【補正方法】変更
【補正の内容】
【請求項１】
ハガキとして機能させる宛名等の所要の表示欄を有するとともに、投函した年の年末又は投函した次の年の年始に配達することを意味付け、かつ喪中を示す少なくとも文字部又はイラスト部を含む特定の識別表示部を、表面（おもて面）に設けてなることを特徴とする特定ハガキ。
【手続補正２】
【補正対象書類名】明細書
【補正対象項目名】０００６
【補正方法】変更
【補正の内容】
【０００６】
本考案に係る特定ハガキ１は、上述した課題を解決するため、ハガキとして機能させる宛名等の所要の表示欄２を有するとともに、投函した年の年末又は投函した次の年の年始に配達することを意味付け、かつ喪中を示す少なくとも文字部１４又はイラスト部１５を含む特定の識別表示部５を、表面（おもて面）１ｆに設けてなることを特徴とする。この場合、考案の好適な態様により、表示欄２には、くじ番号を表示したくじ番号表示部１０を設けることができる。
【手続補正３】
【補正対象書類名】明細書
【補正対象項目名】００２３
【補正方法】変更
【補正の内容】
【００２３】
１    特定ハガキ
１ｆ  表面（おもて面）
２    表示欄
５    識別表示部
１０  くじ番号表示部
１４  文字部
１５  イラスト部
【手続補正書】
【提出日】平成16年6月7日(2004.6.7)
【手続補正１】
【補正対象書類名】実用新案登録請求の範囲
【補正対象項目名】請求項１
【補正方法】変更
【補正の内容】
【請求項１】
ハガキとして機能させる宛名等の所要の表示欄を有するとともに、投函した年の年末又は投函した次の年の年始に配達することを意味付け、かつ喪中を示す少なくとも文字部又はイラスト部を含む特定の識別表示部を、表面（おもて面）における郵便切手貼付部の下方に設けるとともに、前記表示欄に、くじ番号を表示したくじ番号表示部を設けてなることを特徴とする特定ハガキ。
【手続補正２】
【補正対象書類名】明細書
【補正対象項目名】０００６
【補正方法】変更
【補正の内容】
【０００６】
本考案に係る特定ハガキ１は、上述した課題を解決するため、ハガキとして機能させる宛名等の所要の表示欄２を有するとともに、投函した年の年末又は投函した次の年の年始に配達することを意味付け、かつ喪中を示す少なくとも文字部１４又はイラスト部１５を含む特定の識別表示部５を、表面（おもて面）１ｆにおける郵便切手貼付部１３の下方に設けるとともに、表示欄２に、くじ番号を表示したくじ番号表示部１０を設てなることことを特徴とする。
【手続補正３】
【補正対象書類名】明細書
【補正対象項目名】００２１
【補正方法】変更
【補正の内容】
【００２１】
例えば、特定ハガキ１として、一枚の郵便ハガキを例示したが、二つ折りした既存の往復ハガキに類似した形式、クリスマスカードのような自由な形状のカードタイプの形式、カードを封筒に入れた封書タイプの形式等の各種形態をはじめ、宅配便等の郵便以外の配達経路で配達されるカード等、基本的には、ハガキとして機能させる宛名等の所要の表示欄２を有するとともに、投函した年の年末又は投函した次の年の年始に配達することを意味付け、かつ喪中を示す特定の識別表示部５を設けたものであれば、本願考案の特定ハガキ１に包含される。
【手続補正４】
【補正対象書類名】明細書
【補正対象項目名】００２３
【補正方法】変更
【補正の内容】
【００２３】
１    特定ハガキ
１ｆ  表面（おもて面）
２    表示欄
５    識別表示部
１０  くじ番号表示部
１３  郵便切手貼付部
１４  文字部
１５  イラスト部
【手続補正書】
【提出日】平成16年7月8日(2004.7.8)
【手続補正１】
【補正対象書類名】実用新案登録請求の範囲
【補正対象項目名】請求項１
【補正方法】変更
【補正の内容】
【請求項１】
全体を矩形状に形成するとともに、ハガキとして機能させる宛名等の所要の表示欄と、投函した年の年末又は投函した次の年の年始に配達することを意味付け、かつ喪中を示す少なくとも文字部又はイラスト部を含み、表面（おもて面）における郵便切手貼付部の下方に設けた特定の識別表示部を有することを特徴とする特定ハガキ。
【手続補正２】
【補正対象書類名】明細書
【補正対象項目名】０００６
【補正方法】変更
【補正の内容】
【０００６】
本考案に係る特定ハガキ１は、上述した課題を解決するため、全体を矩形状に形成するとともに、ハガキとして機能させる宛名等の所要の表示欄２と、投函した年の年末又は投函した次の年の年始に配達することを意味付け、かつ喪中を示す少なくとも文字部１４又はイラスト部１５を含み、表面（おもて面）１ｆにおける郵便切手貼付部１３の下方に設けた特定の識別表示部５を有することを特徴とする。